(57)【要約】      （修正有）【課題】樹脂製遊技盤において、障害釘によって押されることによって装飾シールに皺が発生し、見栄えが悪くなったり、装飾シールによって押されて障害釘が曲がってしまう問題点を解消する樹脂製遊技盤の加飾構造を提供する。【解決手段】樹脂製遊技盤１の表面１Ａに、該樹脂製遊技盤１と同一の伸縮率を有する樹脂材料からなり、裏面に装飾絵柄２を施した装飾シール３を貼着する。【選択図】図４
0003221147.tif 000002
【実用新案登録請求の範囲】
【請求項１】
樹脂製遊技盤の表面に、該樹脂製遊技盤と同一の伸縮率を有する樹脂材料からなり、裏面に装飾絵柄を施した装飾シールを貼着してなることを特徴とする弾球遊技機における樹脂製遊技盤の加飾構造。
【請求項２】
樹脂製遊技盤と装飾シールが、いずれもアクリルである請求項１記載の弾球遊技機における樹脂製遊技盤の加飾構造。
【請求項３】
装飾シールが、障害釘を植設する位置に配置する装飾シールである請求項１又は２記載の弾球遊技機における樹脂製遊技盤の加飾構造。
【考案の詳細な説明】
【技術分野】
【０００１】
本考案は、弾球遊技機における樹脂製遊技盤の加飾構造に関するものである。
【背景技術】
【０００２】
パチンコ遊技機等の弾球遊技機における遊技盤は、従来にあっては合板（ベニア板等）が用いられていたが、近年、その材料として、リサイクル性等の環境保護の観点や経済性の観点、更には意匠性の観点等から木製の合板に代えて合成樹脂が採用されるようになってきている。
【０００３】
そしてまた、斯かる合成樹脂を材料とする遊技盤に装飾を施す手段として、遊技盤の表面に、装飾絵柄を直接印刷したり、転写シートによる展写によって行う等の種々の手段が用いられている。そしてまた、そのうちの一つに、裏面に装飾絵柄を施した装飾シールを貼着する手段がある。
【０００４】
図５には斯かる裏面に装飾絵柄を施した装飾シールを貼着する手段による加飾構造を示しており、１００はアクリル、ポリカーボネート、ＡＢＳ樹脂、ポリスチロール等の樹脂からなる遊技盤、１０１は裏面に装飾絵柄１０２を施した、樹脂からなる装飾シールである。そして、該装飾シール１０１は、前記遊技盤１００の表面に貼着している。
【０００５】
ところで、斯かる従来の加飾構造にはいくつかの問題点がある。それは装飾シール１０１の材料に起因するものである。即ち、従来における該装飾シール１０１の材料は、遊技盤１００の材料とは伸縮率が異なるものが使われており、このため温度変化や経年変化等によって装飾シール１０１と遊技盤１００との間に伸縮差が発生することがある。そして、この場合において、特に該装飾シール１０１が、障害釘を植設する位置に配置するものである場合には、伸縮差が大きいと、障害釘によって押されることによって該装飾シールに皺が発生し、見栄えが悪くなったり、或いは逆に、図８に示す如く、装飾シールによって押されて障害釘が曲がってしまう虞もある。
【０００６】
また、障害釘を植設するときには、図６に示す如く、樹脂製遊技盤１００と装飾シール１０１とに釘穴１０３、１０４をあけ、該釘穴１０３、１０４に障害釘１０５を差し込んで植設するものであるが、装飾シール１０１にあけた釘穴１０４は、図７に示す如く、直径が障害釘１０５の直径よりも大きく設定されている。これは前記の通りの遊技盤１００と装飾シール１０１との伸縮差によって生じる問題点に対応するためである。
【０００７】
しかし、このように装飾シール１０１に大きな釘穴１０４をあけるということは、その分だけ装飾面が削られ、もって装飾効果が減じられるということになる。
【０００８】
また、遊技盤１００にあけた釘穴１０３と、装飾シール１０１にあけた釘穴１０４とは、その直径が異なることから、別々にあけなければならず、その分の余計な手間と時間がかかることになる。
【考案の概要】
【考案が解決しようとする課題】
【０００９】
本考案は上記の点に鑑みなされたものであって、樹脂製遊技盤の表面に貼着した装飾シールを、樹脂製遊技盤と同一の伸縮率を有する樹脂材料とし、もって上記従来の加飾構造の問題点を悉く解消することができるようになした弾球遊技機における樹脂製遊技盤の加飾構造を提供しようとするものである。
【課題を解決するための手段】
【００１０】
而して、本考案の要旨とするところは、樹脂製遊技盤の表面に、該樹脂製遊技盤と同一の伸縮率を有する樹脂材料からなり、裏面に装飾絵柄を施した装飾シールを貼着してなることを特徴とする弾球遊技機における樹脂製遊技盤の加飾構造にある。
【００１１】
また、上記構成において、樹脂製遊技盤と装飾シールが、いずれもアクリルであるようになしてもよい。
【００１２】
また、上記構成において、装飾シールが、障害釘を植設する位置に配置する装飾シールであることが好ましい。
【考案の効果】
【００１３】
本考案は上記の如き構成であり、樹脂製遊技盤と、これの表面に貼着した装飾シールとを、同一の伸縮率を有する樹脂材料としたから、両者の間に温度変化や経年変化による伸縮差が発生しない。したがって、装飾シールが特に障害釘を植設する位置に配置するものである場合には、前記従来構造における問題点を悉く解消することができるものである。また、装飾シールにあける障害釘の差込用釘穴が、障害釘と同一の直径で済むことになり、もって加飾面が削られることもなく、充分な装飾効果を発揮させることができるものである。且つまた、このように装飾シールにあける釘穴が、障害釘と同一の直径で済むことになるから、穴明け作業も容易となるものである。
【図面の簡単な説明】
【００１４】
【図１】本考案の実施形態に係る弾球遊技機における樹脂製遊技盤の加飾構造の説明図である。
【図２】同障害釘を植設する工程の説明図である。
【図３】図２中Ｂ部分の拡大図である。
【図４】同作用の説明図である。
【図５】従来の弾球遊技機における樹脂製遊技盤の加飾構造の説明図である。
【図６】同障害釘を植設する工程の説明図である。
【図７】図６中Ａ部分の拡大図である。
【図８】同問題点の説明図である。
【考案を実施するための形態】
【００１５】
以下、本考案を実施するための形態について、図面を参照して説明する。
【００１６】
図１は本考案の実施形態に係る弾球遊技機における樹脂製遊技盤の加飾構造を示すものであり、樹脂製遊技盤１の表面１Ａに、該樹脂製遊技盤１と同一の伸縮率を有する樹脂材料からなり、裏面に装飾絵柄２を施した装飾シール３を貼着してなるものである。尚、本実施形態における弾球遊技機は、パチンコ遊技機である。
【００１７】
また、前記樹脂製遊技盤１は、アクリル、ポリカーボネート、ＡＢＳ樹脂、ポリスチロール等の樹脂からなるものであり、本実施形態においてはアクリルからなるものを用いている。また、有色のものを用いている。
【００１８】
また、前記装飾シール３は、前記樹脂製遊技盤１と同一の伸縮率を有する樹脂材料からなるものであり、本実施形態においてはアクリルからなるものを用いている。尚、該装飾シール３の材料は、樹脂製遊技盤１の材料に合わせて適宜のものが選択される。
【００１９】
また、本実施形態においては、装飾シール３として、障害釘を植設する位置に配置するものを示している。
【００２０】
また、前記装飾シール３の裏面に施した装飾絵柄２は、シルク印刷による直接印刷によって施したものであるが、この他、転写フィルムによる転写によって施すようにしてもよいものである。
【００２１】
また、前記装飾シール３の前記樹脂製遊技盤１の表面１Ａへの貼着は、接着剤による接着や両面粘着テープによる貼着によって行うものである。
【００２２】
そして、障害釘を植設するときには、図２に示す如く、樹脂製遊技盤１と装飾シール３とに釘穴４、５をあけ、該釘穴４、５に障害釘６を差し込んで植設するものである。また、該釘穴４、５は、いずれも障害釘６と同一の直系である。尚、釘穴４、５の穴あけは、装飾シール３の貼着後におけるルーター加工によって行う。
【００２３】
本実施形態は上記の如き構成であり、樹脂製遊技盤１と、これの表面１Ａに貼着した装飾シール３とを、同一の伸縮率を有する樹脂材料としたから、両者の間に温度変化や経年変化による伸縮差が発生しない。したがって、装飾シールが特に障害釘を植設する位置に配置するものである場合には、前記従来構造における問題点を悉く解消することができるものである。
【００２４】
即ち、図４に示す如く、温度変化や経年変化によって樹脂製遊技盤１と装飾シール３とが伸縮しても、両者は同一の伸縮率を有する樹脂材料からなるものであるから、これらの間に伸縮差が生じることがなく、もって前記従来構造における問題点を悉く解消することができるものである。
【００２５】
また、上記の如く樹脂製遊技盤１と装飾シール３との伸縮差を考慮する必要がないから、装飾シール３にあける障害釘の差込用釘穴５が、障害釘６と同一の直径で済むことになり、もって加飾面が削られることもなく、充分な装飾効果を発揮させることができるものである。且つまた、このように装飾シール３にあける釘穴５が、障害釘６と同一の直径で済むことになるから、穴明け作業も容易となるものである。
【符号の説明】
【００２６】
１  樹脂製遊技盤
２  装飾絵柄
３  装飾シール
４、５  釘穴
６  障害釘
【図１】
0003221147.tif 000003
【図２】
0003221147.tif 000004
【図３】
0003221147.tif 000005
【図４】
0003221147.tif 000006
【図５】
0003221147.tif 000007
【図６】
0003221147.tif 000008
【図７】
0003221147.tif 000009
【図８】
0003221147.tif 000010